【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ユーザ機器(UE)のワイヤレス通信の方法であって、
第1のアップリンクチャネルのためにサブフレームのセットにおいて受信される1つまたは複数の第1のアップリンクチャネルグラントにおいてスケジューリングされるビットの数を決定するステップと、
第2のアップリンクチャネルのために第2のアップリンクチャネルグラントにおいてスケジューリングされるビットの数を決定するステップと、
サブフレームの前記セットにおいて前記第1のアップリンクチャネルのために受信される前記1つまたは複数の第1のアップリンクチャネルグラントの各々の第1のアップリンクチャネルグラントにおいてスケジューリングされるビットの前記決定された数と、前記第2のアップリンクチャネルのために受信される前記第2のアップリンクチャネルグラントにおいてスケジューリングされるビットの前記決定された数とに基づいて、ビット閾値を超えているかどうかを決定するステップと、
前記ビット閾値を超えているかどうかに基づいて、サブフレームの前記セットにおいて受信される前記1つまたは複数の第1のアップリンクチャネルグラントの少なくとも1つの第1のアップリンクチャネルグラントにおいてスケジューリングされる前記ビット、または前記第2のアップリンクチャネルグラントにおいてスケジューリングされる前記ビットのうちの少なくとも1つを、送信のために処理するステップとを備える、方法。
【請求項２】
前記1つまたは複数の第1のアップリンクチャネルグラントの前記少なくとも1つ第1のアップリンクチャネルグラントにおいてスケジューリングされる前記ビット、または、前記第2のアップリンクチャネルグラントにおいてスケジューリングされる前記ビットのうちの前記少なくとも1つが、サブフレームの前記セットの中のいくつかのサブフレームを備える処理時間枠内で、前記ビット閾値を超えているかどうかに基づいて、送信のために処理される、請求項1に記載の方法。
【請求項３】
前記処理時間枠の長さが、前記UEのUE能力、アップリンクスケジューリング情報、または、前記第2のアップリンクチャネルと関連付けられる短い送信時間間隔(TTI)(sTTI)の持続時間のうちの少なくとも1つに基づく、請求項2に記載の方法。
【請求項４】
前記UEのための前記処理時間枠の前記長さを示す情報を、基地局に送信するステップをさらに備える、請求項3に記載の方法。
【請求項５】
サブフレームの前記セット内の送信時間間隔(TTI)において、前記第1のアップリンクチャネルのための前記1つまたは複数の第1のアップリンクチャネルグラントの各々を受信するステップと、
サブフレーム内の短い送信時間間隔(sTTI)において前記第2のアップリンクチャネルのための前記第2のアップリンクチャネルグラントを受信するステップとをさらに備え、前記サブフレームがサブフレームの前記セットに後続し、前記sTTIが前記TTIより少数のシンボルを含む、請求項1に記載の方法。
【請求項６】
前記第1のアップリンクチャネルが物理アップリンク共有チャネル(PUSCH)であり、
前記1つまたは複数の第1のアップリンクチャネルグラントの各々が前記PUSCH上でのアップリンク送信のためのものであり、
前記第2のアップリンクチャネルが短いPUSCH(sPUSCH)であり、
前記第2のアップリンクチャネルグラントが、短い送信時間間隔(sTTI)における前記sPUSCH上でのアップリンク送信のためのものである、請求項1に記載の方法。
【請求項７】
基地局によるワイヤレス通信の方法であって、
サブフレームのセットの各サブフレームにおいて第1のダウンリンクチャネル上で第1のデータをユーザ機器(UE)に送信することと、サブフレームの前記セットに後続するサブフレームにおいて第2のダウンリンクチャネル上で第2のデータを前記UEに送信することとを決定するステップと、
前記第1のダウンリンクチャネル上で前記第1のデータを前記UEに送信し、前記第2のダウンリンクチャネル上で前記第2のデータを前記UEに送信するという前記決定に基づいて、
前記第1のデータまたは前記第2のデータのうちの少なくとも1つを送信するために使用される変調およびコーディング方式(MCS)を制限すること、
前記第1のデータまたは前記第2のデータのうちの少なくとも1つを送信するために使用される空間ランクを制限すること、
復調基準信号(DMRS)に基づく送信モードを用いて前記UEをスケジューリングするのを控えること、または、
拡張物理ダウンリンク制御チャネル(ePDCCH)を使用して前記UEをスケジューリングするのを控えること
のうちの少なくとも1つを決定するステップと、
サブフレームの前記セットの各サブフレームにおいて前記第1のダウンリンクチャネル上で前記第1のデータを前記UEに送信するステップと、
前記サブフレームにおいて前記第2のダウンリンクチャネル上で前記第2のデータを前記UEに送信するステップとを備える、方法。
【請求項８】
前記第1のダウンリンクチャネルが物理ダウンリンク共有チャネル(PDSCH)であり、前記第2のダウンリンクチャネルが短いPDSCH(sPDSCH)である、請求項7に記載の方法。
【請求項９】
前記UEが前記第2のダウンリンクチャネルをサポートすることを示す情報を、前記UEから受信するステップと、
前記UEが前記第2のダウンリンクチャネルをサポートすることを示す前記受信された情報に基づいて、前記UEへ前記第2のデータを送信することを決定するステップとをさらに備える、請求項7に記載の方法。
【請求項１０】
サブフレームの前記セットの各サブフレームの中の前記第1のダウンリンクチャネル上の前記第1のデータが、第1のコンポーネントキャリア上で送信され、前記サブフレームの中の前記第2のダウンリンクチャネル上の前記第2のデータが、第2のコンポーネントキャリア上で送信される、請求項7に記載の方法。
【請求項１１】
前記第1のコンポーネントキャリアが、前記第2のコンポーネントキャリアと同じコンポーネントキャリアである、請求項10に記載の方法。
【請求項１２】
前記UEのUE能力を示す情報を、前記UEから受信するステップをさらに備え、前記第1のダウンリンクチャネル上で前記第1のデータを前記UEに送信し前記第2のダウンリンクチャネル上で前記第2のデータを前記UEに送信することの前記決定に基づいて、前記第1のデータもしくは前記第2のデータのうちの少なくとも1つを送信するために使用される前記MCSを制限すること、前記第1のデータもしくは前記第2のデータのうちの少なくとも1つを送信するために使用される前記空間ランクを制限すること、前記DMRSに基づく送信モードを用いて前記UEをスケジューリングするのを控えること、または、前記ePDCCHを使用して前記UEをスケジューリングするのを控えることのうちの前記少なくとも1つを前記決定するステップが、前記UE能力を示す前記情報に基づく、請求項7に記載の方法。
【請求項１３】
請求項１から６のいずれか一項に記載の方法を実行するために構成される手段を含むユーザ機器(UE)。
【請求項１４】
請求項７から１２のいずれか一項に記載の方法を実行するために構成される手段を含む基地局。
【請求項１５】
コンピュータ上で実行させたときに、請求項１から６又は７から１２のいずれか一項に記載の方法を前記コンピュータに実行させる命令を含むコンピュータプログラム。